(57)【要約】【課題】シート状の防水カバーの厚さが薄い場合であっても、防水カバーにおいて操作ボタンの操作ステムが接触する部分の劣化を防ぎ、防水耐性の低下を抑制できる携帯型操作装置を提供することにある。【解決手段】ケース２内に収納された第１プッシュスイッチ７及び第２プッシュスイッチ８と、第１操作ボタン９及び第２操作ボタン１０との間に防水カバー１１が配置され、各操作ボタン９、１０の各操作ステム１２、１５の先端面１２Ａ、１５Ａに保護部材１４、１７がそれぞれ取付けられ、各操作ステム１２、１５の押し込み操作時に各操作ステム１２、１５は各保護部材１４、１７を介して防水カバー１１に押し付けられる。【選択図】図６
2018120681.tif 000002
【特許請求の範囲】
【請求項１】
ケースと、
前記ケース内に収納された回路基板と、
前記回路基板上に搭載されたプッシュスイッチと、
前記ケースに形成された開口部より操作面が外部に臨み前記プッシュスイッチを押し込み操作するための操作ボタンと、
前記プッシュスイッチと前記操作ボタンとの間に設けられたシート状の防水カバーと、
を有し、
前記操作ボタンは、前記プッシュスイッチと対向する位置に形成され、前記防水カバーを介して前記プッシュスイッチを押込み操作するための操作ステムを含み、
前記操作ステムの先端面には、前記防水カバーのステム当接面に平面で接触する保護部材が取付けられている、
携帯型操作装置。
【請求項２】
前記操作ステムは円筒状に形成され、
前記保護部材は円盤状の押圧部と前記押圧部の上面に突出形成されたピン部とを含み、
前記ピン部が前記操作ステムの先端に形成された穴部に嵌め込まれることにより、前記押圧部が前記操作ステムの先端面に取付けられ、
前記押圧部の下面が前記防水カバーのステム当接面に平面で接触する、
請求項１に記載の携帯型操作装置。
【請求項３】
前記操作ステムの材料強度Ａ１と、前記保護部材の材料強度Ａ２と、前記防水カバーの材料強度Ａ３は、Ａ１＞Ａ２＞Ａ３の関係である、
請求項１または請求項２に記載の携帯型操作装置。
【発明の詳細な説明】
【技術分野】
【０００１】
本発明は、各種機器を遠隔操作するための携帯型操作装置に係り、特に車両のドア等の開閉を無線通信により遠隔操作する携帯型操作装置に関する。
【背景技術】
【０００２】
従来から、車両のドアを無線通信による遠隔操作によって施錠または解錠する携帯型操作装置が知られている。
この携帯型操作装置として、特許文献１に開示された装置が知られている。この装置は、上ケースと下ケースからなる筐体と、筐体内に収納された回路モジュールを有している。回路モジュールはプリント基板とプリント基板上に搭載されたプッシュスイッチを有している。上ケースには透孔が開口されており、この透孔にはプッシュスイッチを押込み操作するための操作ボタンが配置されている。
携帯型操作装置は、車両のドアの施錠または開錠を行うために使用され、室外で使用されることが多い。したがって、回路モジュールはプッシュスイッチを含めた電子部品の防水のためのラバーシートを備えている。ラバーシートは筐体内においてプッシュスイッチと操作ボタンとの間に配置され、プッシュスイッチはラバーシートを介して操作ボタンにより押込み操作される構成となっている。
【先行技術文献】
【特許文献】
【０００３】
【特許文献１】特開２０１２−１９９１８３号公報
【発明の概要】
【発明が解決しようとする課題】
【０００４】
ところで、携帯型操作装置は車両を運転する時に手軽に携帯できるように携帯性の向上が求められ、携帯型操作装置の薄型化が求められている。
そこで、携帯型操作装置の筐体内に組込まれているラバーシートの厚さを薄くして携帯型操作装置の薄型化を図ることが考えられる。
【０００５】
一般的に携帯型操作装置の操作ボタンは樹脂材料を射出成形することにより形成されており、操作ボタンの表示部となる表側の操作面にヒケが発生しないように、操作ボタンの操作面の反対側である下面にリブが突出形成され、このリブがプッシュスイッチの操作ステムとなっている。
【０００６】
プッシュスイッチを押圧する部分がリブであると、リブの先端の形状によってはラバーシートとの接触面積が狭くなる。
操作ボタンにおけるラバーシートとの接触部分の面積が狭いものにおいて、ラバーシートの厚さを薄くした場合、操作ボタンの押込み操作が反復されることによって、ラバーシートにおける操作ボタンの接触部分が劣化し易くなり、防水耐性が低下するという問題がある。
【０００７】
本発明はかかる事情に鑑みてなされたものであり、その目的は、シート状の防水カバーの厚さが薄い場合でも、防水カバーにおいて操作ボタンの操作ステムが接触する部分の劣化を防ぎ、防水耐性の低下を抑制できる携帯型操作装置を提供することにある。
【課題を解決するための手段】
【０００８】
上記の目的を達成するために、本発明は、ケースと、前記ケース内に収納された回路基板と、前記回路基板上に搭載されたプッシュスイッチと、前記ケースに形成された開口部より操作面が外部に臨み前記プッシュスイッチを押し込み操作するための操作ボタンと、前記プッシュスイッチと前記操作ボタンとの間に設けられたシート状の防水カバーとを有し、前記操作ボタンは、前記プッシュスイッチと対向する位置に形成され、前記防水カバーを介して前記プッシュスイッチを押込み操作するための操作ステムを含み、前記操作ステムの先端面には、前記防水カバーのステム当接面に平面で接触する保護部材が取付けられていることを特徴とする。
この構成によれば、操作ステムの先端面の形状により操作ステムの防水カバーの接触面積が狭いものであっても、保護部材を操作ステムの先端面に取付けることによって、操作ステムの先端面の防水カバーに対する接触面積が広くなり、操作ステムの先端面を防水カバーのステム当接面に平面で押し当てることができる。
したがって、防水カバーにおいて操作ステムが接触する部分へ加わる負荷を低減できる。
また、プッシュスイッチの操作感の要求スペックに合わせて保護部材を選択して取付けることができるので、携帯型操作装置の設計の自由度が高まる。
【０００９】
好適には、前記操作ステムは円筒状に形成され、前記保護部材は円盤状の押圧部と前記押圧部の上面に突出形成されたピン部とを含み、前記ピン部が前記操作ステムの先端に形成された穴部に嵌め込まれることにより、前記押圧部が前記操作ステムの先端面に取付けられ、前記押圧部の下面が前記防水カバーのステム当接面に平面で接触することを特徴とする。
この構成によれば、保護部材はピン部を各操作ステムの穴部に嵌合させるだけで、簡単に操作ステムの先端に取付けることができる。
したがって、多数個の操作ボタンを必要とする携帯型操作装置であっても、予め操作ステムに保護部材を取付け、特別な治具等を用いずに、今までと同じように操作ボタンをケース内に組込むことができるので、操作ボタンのケースへの組付作業の煩雑さはない。
【００１０】
好適には、前記操作ステムの材料強度Ａ１と、前記保護部材の材料強度Ａ２と、前記防水カバーの材料強度Ａ３は、Ａ１＞Ａ２＞Ａ３の関係であることを特徴とする。
この構成によれば、保護部材の材料強度Ａ２が操作ステムの材料強度Ａ１と防水カバーの材料強度Ａ３との中間の強度となることによって、操作ステムの防水カバーに対する密着力が上がり操作ボタンの操作感のバラツキが少なくなる。
【発明の効果】
【００１１】
本発明によれば、シート状の防水カバーの厚さが薄い場合でも、防水カバーにおいて操作ボタンの操作ステムが接触する部分の劣化を防ぎ、防水耐性の低下を抑制できる。
【図面の簡単な説明】
【００１２】
【図１】本発明の一実施形態に係る携帯型操作装置の外観斜視図である。
【図２】図１の携帯型操作装置の平面図である。
【図３】図１の携帯型操作装置の分解斜視図である。
【図４】図１の携帯型操作装置の第１操作ボタンと第１保護部材との関係を示す拡大斜視図である。
【図５】図１の携帯型操作装置の第２操作ボタンと第２保護部材との関係を示す拡大斜視図である。
【図６】図２のＶＩ―ＶＩ線拡大断面図である。
【発明を実施するための形態】
【００１３】
以下、図面を参照して、本発明の一実施形態に係る携帯型操作装置について説明する。
図１は、本発明の一実施形態に係る携帯型操作装置の外観斜視図である。図２は、図１の携帯型操作装置の平面図である。図３は、図１の携帯型操作装置の分解斜視図である。図４は、図１の携帯型操作装置の第１操作ボタンと第１保護部材との関係を示す拡大斜視図である。図５は、図１の携帯型操作装置の第２操作ボタンと第２保護部材との関係を示す拡大斜視図である。図６は、図２のＶＩ―ＶＩ線拡大断面図である。
【００１４】
携帯型操作装置１は、無線通信により車両のドアを施錠または解錠するための装置である。
携帯型操作装置１はケース２を有している。ケース２は、上ケース３と、上ケース３に組み合わされる下ケース４から構成されている。上ケース３と下ケース４は樹脂材料を射出成形することにより形成されている。
【００１５】
図３に示すように、下ケース４内には、ドアを施錠または解錠する信号を生成するための電子回路部品（図示は省略する）が搭載された回路基板５が配置されている。回路基板５は、下ケース４に組付けられたホルダ６に位置決め保持されている。
【００１６】
回路基板５上には、ドアを施錠する信号を車両側の受信機に送るための第１プッシュスイッチ７と、ドアを解錠する信号を車両側の受信機に送るための第２プッシュスイッチ８が並列して搭載されている。
【００１７】
各プッシュスイッチ７、８はケース２の薄型化に対応するために、可動接点部分が平板状に形成されている。
【００１８】
上ケース３内には、第１プッシュスイッチ７を押込み操作するための第１操作ボタン９と第２プッシュスイッチ７を押込み操作するための第２操作ボタン１０が組込まれている。第１操作ボタン９と第２操作ボタン１０は、樹脂材料を射出成形することにより形成されている。
【００１９】
図３に示すように、下ケース４内において、第１プッシュスイッチ７及び第２プッシュスイッチ８と第１操作ボタン９及び第２操作ボタン１０との間には、防水カバー１１が配置されている。防水カバー１１は、第１プッシュスイッチ７及び第２プッシュスイッチ８を含めて、回路基板５上に搭載されている電子部品を包み込む。防水カバー１１は、シリコンゴム等によって成形され、携帯型操作装置１の薄型化に対応するために薄く形成されている。
【００２０】
図２に示すように、第１操作ボタン９の上部に形成された操作部分は矩形状に形成され、上ケース３の上部に形成された矩形状の第１開口部３Ａ内に配置される。第１操作ボタン９の上部に形成された操作部分の操作面９Ａは、第１開口部３Ａを介して外部に臨むように組み込まれている。第１操作ボタン９の操作面９Ａは、第１操作ボタン９の表示部となっている。
図４に示すように、第１操作ボタン９の外周には、フランジ部９Ｂが形成されている。フランジ部９Ｂが上ケース３の下面に係止されることによって、第１操作ボタン９の第１開口部３Ａから外部への抜け落ちが防がれている。
【００２１】
図４に示すように、第１操作ボタン９の操作面９Ａの反対側である下面において、第１プッシュスイッチ７と対向する位置には、第１プッシュスイッチ７を押込み操作するための円筒状の第１操作ステム１２が一体に成形されている。この第１操作ステム１２を形成することによって、第１操作ボタン９の射出成形時に第１操作ボタン９の操作面９Ａとなる表面へのヒケの発生を防ぐことができる。
【００２２】
第１操作ステム１２のプッシュスイッチ操作面となる先端面１２Ａの中央部分には、第１操作ステム１２の軸方向に穴部１３が形成されている。
【００２３】
図４に示すように、第１操作ステム１２のプッシュスイッチ操作面となる先端面１２Ａには、防水カバー１１を保護する第１保護部材１４が取付けられている。
第１保護部材１４は、円盤状の第１押圧部１４Ａと、第１押圧部１４Ａの上面に突出形成されたピン部１４Ｂとから構成されている。ピン部１４Ｂは、第１操作ステム１２の先端面１２Ａに形成された穴部１３に嵌め込まれ、第１押圧部１４Ａの下面が防水カバー１１のステム当接面１１Ａと平行に対向するように第１操作ステム１２の先端面１２Ａに取付けられる。
このように第１押圧部１４Ａが第１操作ステム１２の先端面１２Ａに取付けられることによって、第１押圧部１４Ａは防水カバー１１のステム当接面１１Ａに平面で接触する構成となる。
【００２４】
第１操作ステム１２が円筒状に形成され、第１操作ステム１２の先端面１２Ａが円環状の面となっていても、第１保護部材１４によって、第１操作ステム１２の防水カバー１１に対する接触面積を広くとることができる。したがって、防水カバー１１の第１操作ステム１２が押圧される部分へ加わる負荷が低減され、防水カバー１１の劣化を防ぐことができ、防水耐性が確保される。
【００２５】
第１保護部材１４は、ピン部１４Ｂを第１操作ステム１２の穴部１３に嵌合させるだけで、簡単に第１操作ステムの先端に取付けることができる。
【００２６】
図２に示すように、第２操作ボタン１０の上部に形成された操作部分は矩形状に形成され、上ケース３Ａの上部に形成された矩形状の第２開口部３Ｂ内に配置される。第２操作ボタン１０の上部に形成された操作部分の操作面１０Ａは、第２開口部３Ｂを介して外部に臨むように組み込まれている。第２操作ボタン１０の操作面１０Ａは第１操作ボタン１０の表示部となっている。
図５に示すように、第２操作ボタン１０の外周にはフランジ部１０Ｂが形成されている。フランジ部１０Ｂが上ケース３の下面に係止されることにより、第２操作ボタン１０の第２開口部３Ｂから外部へ抜け落ちが防がれている。
【００２７】
第２操作ボタン１０の操作面１０Ａの反対側である下面において、第２プッシュスイッチ８と対向する位置には第２プッシュスイッチ８を押込み操作するための円筒状の第２操作ステム１５が一体に成形されている。この第２操作ステム１５を形成することによって、第２操作ボタン１０の射出成形時に第２操作ボタン１０の操作面１０Ａとなる表面へのヒケの発生を防ぐことができる。
【００２８】
第２操作ステム１５のプッシュスイッチ操作面となる先端面１５Ａの中央部分には穴部１６が第２操作ステム１５の軸方向に形成されている。
【００２９】
図５に示すように、第２操作ステム１５のプッシュスイッチ操作面となる先端面１５Ａには防水カバー１１を保護する第２保護部材１７が取付けられている。
第２保護部材１７は、円盤状の第１押圧部１７Ａと、第２押圧部１７Ａの上面に突出形成されたピン部１７Ｂとから構成されている。ピン部１７Ｂは、第２操作ステム１５の先端面１５Ａに形成された穴部１６に嵌め込まれ、第２押圧部１７Ａの下面が防水シート１１のステム当接面１１Ｂと平行に対向するように第２操作ステム１５の先端面１５Ａに取付けられる。
このように第２押圧部１７Ａが第２操作ステム１５の先端面１５Ａに取付けられることによって、第２押圧部１７Ａは防水カバー１１のステム当接面１１Ｂに平面で接触する構成となる。
【００３０】
第２操作ステム１５が円筒状に形成され、第２操作ステム１５の先端面１５Ａが円環状の面となっていても、第２保護部材１７によって、第２操作ステム１５の防水カバー１１に対する接触面積を広くとることができる。したがって、防水カバー１１の第１操作ステム１２が押圧される部分へ加わる負荷が低減され、防水カバー１１の劣化を防ぐことができ、防水耐性が確保される。
【００３１】
第２保護部材１７はピン部１７Ｂを第２操作ステム１５の穴部１６に嵌合させるだけで、簡単に第２操作ステム１５の先端に取付けることができる。
【００３２】
本実施形態の携帯型操作装置１によれば、各操作ステム１２、１５の先端形状により各操作ステム１２、１５の防水カバー１１に対する接触面積が狭くなっていても、各保護部材１４、１７を各操作ステム１２、１５の各先端面１２Ａ、１５Ａにそれぞれ取付けることによって、各操作ステム１２、１５の防水カバー１１に対する接触面積が広くなり、各操作ステム１２、１５を防水カバー１１のステム当接面１１Ａ、１１Ｂに平面で押し当てることができる。
したがって、防水カバー１１が薄い場合であっても、防水カバー１１において各操作ステム１２、１５が接触する部分へ加わる負荷を低減し、防水カバー１１の各操作ステム１２、１５が押圧される部分の劣化を防ぐことができる。
【００３３】
また、使用されるプッシュスイッチの操作感の要求スペックに合わせて保護部材を選択して取付けることができるので、携帯型操作装置１の設計の自由度が高まる。
【００３４】
また、各保護部材１４、１６はピン部１４Ｂ、１７Ｂを各操作ステム１２、１５の穴部１３、１６に嵌合させるだけで、簡単に各操作ステム１２、１５の先端に取付けることができる。したがって、多数個の操作ボタンを必要とする携帯型操作装置であっても、予め各操作ステムに各保護部材を取付け、特別な治具等を用いずに、今までと同じように各操作ボタンをケース内に組込むことができるので、各操作ボタンのケースへの組付作業の煩雑さを防ぐことができる。
【００３５】
前記各操作ステム１２、１５の材料強度Ａ１と、前記各保護部材１４、１７の材料強度Ａ２と、前記防水カバー１１の材料強度Ａ３は、Ａ１＞Ａ２＞Ａ３の関係である。
各保護部材１２、１５の材料強度Ａ２が各操作ステム１２、１５の材料強度Ａ１と防水カバー１１の材料強度Ａ３との中間の強度とすることによって、各操作ステム１２、１５の防水カバー１１に対する密着力が上がり各操作ボタン９、１０の操作感のバラツキが少なくなる。
【００３６】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【００３７】
本発明は、ケースが上下に分割されていない携帯型操作装置にも適用される。
また、本発明は、操作ボタンが一つだけ組み込まれる携帯型操作装置にも適用され、組込まれる操作ボタンの個数には限定されない。
また、本発明は、保護部材を操作ステムの先端面に接着剤で取付けられるものであってもよく、保護部材の操作ステムへの取付け手段は本実施形態に係るものには限定されない。
また、本発明は、操作ステムの先端面に凹凸が形成され、防水カバーへの接触面積が狭くなっているものであっても、保護部材を操作ステムの先端面に取付けることにより、操作ステムの先端面の防水カバーへの接触面積を広くとることができる。したがって、操作ステムの先端面の形状は本実施形態に係るものには限定されない。
【産業上の利用可能性】
【００３８】
本発明は、シート状の防水カバーを介してプッシュスイッチを操作ボタンで押込み操作する携帯型操作装置に適用可能である。
【符号の説明】
【００３９】
１・・・・・・・・・携帯型操作装置
２・・・・・・・・・ケース
３・・・・・・・・・上ケース
４・・・・・・・・・下ケース
５・・・・・・・・・回路基板
７・・・・・・・・・第１プッシュスイッチ
８・・・・・・・・・第２プッシュスイッチ
９・・・・・・・・・第１操作ボタン
９Ａ・・・・・・・・先端面
１０・・・・・・・・第２操作ボタン
１０Ａ・・・・・・・先端面
１１・・・・・・・・防水カバー
１１Ａ・・・・・・・ステム当接面
１１Ｂ・・・・・・・ステム当接面
１２・・・・・・・・第１操作ステム
１２Ａ・・・・・・・先端面
１３・・・・・・・・穴部
１４・・・・・・・・第１保護部材
１４Ａ・・・・・・・押圧部
１４Ｂ・・・・・・・ピン部
１５・・・・・・・・第２操作ステム
１５Ａ・・・・・・・先端面
１６・・・・・・・・穴部
１７・・・・・・・・第２保護部材
１７Ａ・・・・・・・押圧部
１７Ｂ・・・・・・・ピン部
【図１】
2018120681.tif 000003
【図２】
2018120681.tif 000004
【図３】
2018120681.tif 000005
【図４】
2018120681.tif 000006
【図５】
2018120681.tif 000007
【図６】
2018120681.tif 000008